(57)【要約】【課題】  情報処理システムにおいて安全且つ容易に半導体ディスク装置の抜取ができる半導体ディスク誤抜取防止機能を提供し、特に自動的に抜取りタイミングの制御を行なえる半導体ディスク誤抜取防止機能を提供する。【解決手段】  該半導体ディスク装置設置部は該半導体ディスク装置を定位置に装着させる為の該半導体ディスク装置用スライドレール部と該半導体ディスク装置と該制御部の信号のやり取りを行なう為の半導体ディスク装置差込コネクタと該半導体ディスク装置裏面中央部に該半導体ディスク装置を固定させておく為の磁石とそれと対応する位置に電磁石を設置する。さらに、半導体ディスク装置裏面部に凸部を設置させ、それと対応させるように装着位置部にも凸部に合致する凹部を設置し、電磁石が動作すると該半導体ディスク用スライドレールと該半導体ディスク装置と該制御部の信号のやり取りを行なう為の変換コネクタを支える部分に、伸縮性のあるばね状の素材を備える。【選択図】  図１
2005316532.tif 000002
【特許請求の範囲】
【請求項１】
電子機器に搭載された半導体ディスク装置の誤抜取防止装置であって、
前記半導体ディスク装置裏面に設けた磁石と、
前記電子機器本体の前記磁石に相対する部位に設けた電磁石と、
前記電磁石への電源供給制御を行なう吸着制御部と、
からなり、前記吸着制御部は前記電子機器本体と前記半導体ディスク装置との信号の送受信を利用して電磁石への電源供給を制御することを特徴とする半導体ディスク装置の誤抜取防止装置。
【請求項２】
請求項１に記載の半導体ディスク装置の誤抜取防止装置であって、
前記半導体ディスク装置裏面部に凸部を設けるとともに、相対する前記電子機器本体部のアダプタに凹部を設けることによって、前記凸部と凹部との嵌合によって固定することを特徴とする半導体ディスク装置の誤抜取防止装置。
【発明の詳細な説明】
【技術分野】
【０００１】
本発明は特に小型化を目的とした端末処理システムにおいて抜差し容易に行なえる半導体ディスク装置を搭載した端末に関する。
【背景技術】
【０００２】
従来、半導体ディスク装置を装着する場合、半導体ディスク装置用スライドレールによりガイドさせながら制御部へ信号を運ぶ為の半導体ディスク差込コネクタに差込む方法が知られている。しかし、抜取りが容易に出来てしまうため、動作中に誤って抜取りが出来てしまうと、システムが動作不能に陥り、半導体ディスク装置内のデータを破壊してしまうだけでなく、半導体ディスク装置自体機能しなくなる恐れがある。
【０００３】
また、装置等の固定方法については、磁石とそれに対応した電磁石に通電することで磁石と異極を作り出し、装置の固定及び安定させることが知られている。
【０００４】
この電磁石による装置等の吸着方式として特開平５−２４７７７１号子公報（特許文献１）に示されているように電磁石の通電の可否による吸着制御とばねとの組み合わせで装置の吸着及び離脱する制御方法が知られている。
【０００５】
【特許文献１】特開平５−２４７７７１号公報
【発明の開示】
【発明が解決しようとする課題】
【０００６】
しかしながら、この方法では半導体ディスク装置の動作を行なっているかの有無について感知し吸着させる動作のタイミングを認識することが出来ない。また、半導体ディスク装置の吸着タイミングを容易に知ることが出来ないため、手動で行なうことは困難で手間を必要とする。
【０００７】
本発明は半導体ディスク装置の利便性である小型化で容易に抜差しが出来るがゆえに、誤って動作中に抜差しをしてしまう半導体ディスク装置抜取りに対して、半導体ディスク装置と本体制御部との信号のやり取りにより電磁石の電源制御を行なう為、吸着制御は自動で行なわれ、且つ半導体ディスク装置抜取りの可否によるシステム停止等の不具合を解決する半導体ディスク装置誤抜取制御機能を提供するものである。
【課題を解決するための手段】
【０００８】
本発明の半導体ディスク装置誤抜取防止機能は汎用の半導体ディスク装置の裏面に一辺2cm程度の正方形の磁石と半導体ディスク装置を差込むアダプタ部で半導体ディスク装置の裏面と平行する部分に設置する同大きさの電磁石と、制御部から半導体ディスク装置を制御する信号と半導体ディスク装置へ供給する電源により電磁石の吸着制御を行なっている吸着制御装置とを備えており、その吸着動作に対して吸着に適応させる為、半導体ディスク装置用スライドレール及び半導体ディスク装置差込コネクタ部等を固定する部分に伸縮性のあるばねを備える構成となっている。
【０００９】
さらに、本発明の半導体ディスク装置誤抜取防止機能では抜取防止力を強める為、半導体ディスク装置裏面に爪のような引っかけ部を備えた凸部と、その爪に引っ掛かる形状の凹部を半導体ディスク装置抜取アダプタ部に設置することで、より固定力を増す構成となっている。
【発明の効果】
【００１０】
本発明の半導体ディスク誤抜取防止機能は、半導体ディスク装置の信号を認識して電磁石の動作制御を行なっているので、抜取りをしてはいけない半導体ディスク装置動作時において、強制的に固定される為誤抜取防止に非常に効果的である。さらに、半導体ディスク装置の裏の磁石面とそれに対面する電磁石面には互いに対応するように凹凸の溝を備えることで電磁石作動時により固定させる力を強める半導体ディスク誤抜取防止機能を構成できる。
【発明を実施するための最良の形態】
【００１１】
以下に本発明の実施例を説明する。
【００１２】
以下に本発明の実施例構成を図１〜３を用いて示す。
【００１３】
半導体ディスク装置用スライドレール１は、半導体ディスク装置２を正常な位置に設置させ、半導体ディスク装置差込コネクタ５のコネクタピンへ接続させる為のレールガイドの役割を行なう。半導体ディスク装置２は、本体制御部から電源を供給されており、また、本体制御部を起動させるOSやアプリケーション、及び本体制御部で処理された入出力データ等通常システム稼動に必要なデータを格納する記憶装置である。
【００１４】
磁石３は、半導体ディスク装置２を半導体ディスク装置抜取アダプタに固定する為の部位である。電磁石４は、磁石３と同様、半導体ディスク装置２を半導体ディスク装置抜取アダプタに固定させる為の部位であるが、吸着制御装置６の制御で電源を供給され、電磁石としての役割を得る。
【００１５】
半導体ディスク装置差込コネクタ５は、通常時制御装置から半導体ディスク装置２に電源を供給する接続路線と本体制御部の起動及び制御信号を半導体ディスク装置用のデータ信号へ変換し供給する線路である。また、半導体ディスク装置２を着脱させる役割のものである。
【００１６】
吸着制御装置６は、磁石３と電磁石４を機能及び制御させる装置であり、制御装置から供給される電源を、本体制御部と半導体ディスク装置２との間の(-OE)信号と(BSY/RDY)信号動作によって制御する。以下に、(-OE)信号と(BSY/RDY)信号の機能について説明する。
【００１７】
(-OE)信号は半導体ディスクのインタフェースを識別する信号であり、具体的には信号レベルが(High)の場合ATAインタフェースと認識し、(Low)の場合はTrue-IDEインタフェースと認識する。
【００１８】
また、(BSY/RDY)信号はATAインタフェース時に信号のやり取りが行われているかどうかを表し、半導体ディスク装置の抜取り可否の判定基準となる。具体的に、データ処理がなされている場合はBSY状態になり、データ処理が成されていない場合または終了した場合はRDY状態になる。
【００１９】
ばね７は、電磁石４が動作している状態で磁石３と電磁石４が吸着状態にある場合、その吸着力により半導体ディスク装置２とその裏面の磁石３が吸着しやすいように伸縮する為の部位である。
【００２０】
抜取防止用爪８は電磁石４が機能していないと、半導体ディスク装置２とアダプタ部間に隙間がある為爪は引っ掛からずに抜取りが出来る。しかし、電磁石４が機能すると半導体ディスク装置２とアダプタとが密着する為、抜取防止用爪８とそれに対応した爪穴９の接合により抜取りが出来ないようになる。抜取防止用爪穴９は抜取防止用爪８に対応する位置に設置される引っかけ穴である。
【実施例１】
【００２１】
以下に本発明の実施例について図４〜６に従って説明する。図４は吸着制御装置と電磁石の電源とのタイミングを示し、図５は半導体ディスク装置誤抜取防止機能の全体フローを示し、図６は吸着制御装置の内部動作フローを示す。
実施例の説明の前に前提条件を示す。実施例では半導体ディスク装置にコンパクトフラッシュ（コンパクトフラッシュは登録商標です）を用いる。コンパクトフラッシュは以下のような２種類の利用の仕方がある。
（１）PCカードとして認識するATAインタフェース
（２）HDDと同様のインタフェースとして扱えるTrue-IDEインタフェース
この2種類の方法により抜き差しのタイミングが異なる。また、この2種類の識別は、(-OE)信号がHighであるかLowであるかで認識する。
【００２２】
汎用のコンパクトフラッシュをコンパクトフラッシュ用スライドレールのガイドに沿って滑らしインタフェース変換コネクタに差し込む。コンパクトフラッシュをデータディスクとする。本体制御部に電源を供給すると同時にコンパクトフラッシュにも電源が供給される。吸着制御装置も本体制御部から電源が供給される。
【００２３】
吸着制御装置は(-OE)信号がHighかLowであるかを認識しインタフェースの種類を確認する。(-OE)信号がHighの場合ATAインタフェースと認識し、Lowの場合True−IDEと認識する。
【００２４】
ATAインタフェースの場合について以下に示す。吸着制御装置は(-OE)信号がHighであることを認識する。認識後、吸着制御装置はRDY/BSY信号を用いて電磁石の吸着制御を行う。RDY/BSY信号は本体制御部とコンパクトフラッシュで信号のやり取りが行われていない場合RDY状態になる。また、信号のやり取りを行っている場合BSY状態となる。
最初データのやり取りが行われていない場合はRDY/BSY信号がRDY状態であるため、吸着制御装置はそれを認識し、電磁石に電源を供給しない。つまり、電磁石は磁石の役割を果たさないため電磁石と磁石は引き合わない。
【００２５】
次にデータのやり取りが行われるとRDY/BSY信号がRDYからBSYに変わる。それを吸着制御装置が認識し、電磁石に電源を供給する。よって、電磁石は磁石として働き電磁石と磁石は共に引き合おうとする。電磁石と磁石が引き合うことはつまり、磁石と一体になっているコンパクトフラッシュと電磁石が密着しようとすることである。コンパクトフラッシュが電磁石に密着できるようにコンパクトフラッシュ用スライドレールを固定にはばねが採用されており、コンパクトフラッシュと電磁石が密着動作するとばねが縮みコンパクトフラッシュと電磁石との隙間がなくなる。同時にコンパクトフラッシュ裏面に付属させた抜けさし防止用爪とそれと対応するように作られた抜け挿し防止用爪穴が合致し、容易には抜けないようになる。
【００２６】
次にデータのやり取りが終了すると(BSY/RDY)信号がBSYからRDYへと変化する。吸着制御装置はそれを認識し、吸着制御信号内のタイマーにより3秒後にそれまで電磁石に供給していた電源を停止する。これによって電磁石は磁力を失う。よって、それまでコンパクトフラッシュと磁石との吸引関係がなくなり、コンパクトフラッシュはばねの力でコンパクトフラッシュ用スライドレールと共に元の場所に戻る。このため、コンパクトフラッシュは浮き上がるため、抜け挿し防止用爪とそれと合致する抜け挿し防止用爪穴との引っ掛けも解消されコンパクトフラッシュは自由に抜き差しできるようになる。
【００２７】
次に、True-IDEインタフェースの場合について説明する。吸着制御装置は(-OE)信号がLowであることを認識する。認識後IDEの場合は挿抜活線が行えないため本体制御部からの電源の有無によって電磁石を制御する。本体制御部に電源が供給されている間は吸着制御装置より電磁石に電源が供給される。つまり、電磁石は磁石の働きをするためコンパクトフラッシュと電磁石は吸着しようとする。
【００２８】
電磁石と磁石が引き合うことはつまり、磁石と一体になっているコンパクトフラッシュと電磁石が密着しようとすることである。コンパクトフラッシュが電磁石に密着できるようにコンパクトフラッシュ用スライドレールを固定にはばねが採用されており、コンパクトフラッシュと電磁石が密着動作するとばねが縮みコンパクトフラッシュと電磁石との隙間がなくなる。
【００２９】
同時にコンパクトフラッシュ裏面に付属させた抜けさし防止用爪とそれと対応するように作られた抜け挿し防止用爪穴が合致し、容易には抜けないようになる。
【００３０】
本体制御部の電源が停止されると、同時に吸着制御装置から電磁石に供給されていた電源も停止する。よって、それまでコンパクトフラッシュと磁石との吸引関係がなくなり、コンパクトフラッシュはばねの力でコンパクトフラッシュ用スライドレールと共に元の場所に戻る。このため、コンパクトフラッシュは浮き上がるため、抜け挿し防止用爪とそれと合致する抜け挿し防止用爪穴との引っ掛けも解消されコンパクトフラッシュは自由に抜き差しできるようになる。
【図面の簡単な説明】
【００３１】
【図１】半導体ディスク差込機構の側面図を示す。
【図２】半導体ディスクと電磁石との吸着状態図を示す
【図３】半導体ディスク差込機構の斜視図を示す。
【図４】吸着制御装置と電磁石の電源タイミングを示す。
【図５】半導体ディスク装置誤抜取防止機能の全体フローを示す。
【図６】吸着制御装置の内部動作フローを示す。
【符号の説明】
【００３２】
１・・・半導体ディスク用スライドレール、２・・・半導体ディスク、３・・・磁石、４・・・電磁石、５・・・半導体ディスク装置差込コネクタ、６・・・吸着制御装置、７・・・ばね、８・・・抜取防止用爪、９・・・抜取防止用爪穴
【図１】
2005316532.tif 000003
【図２】
2005316532.tif 000004
【図３】
2005316532.tif 000005
【図４】
2005316532.tif 000006
【図５】
2005316532.tif 000007
【図６】
2005316532.tif 000008